(57)【要約】【課題】  過酷なトレーニングや体力の消耗を伴う苦痛が無く、老人から若者に到るまで、緩やかな運動によって衰退した筋肉を回復させ、背や腰の曲がりを改善し、健康を害する姿勢を無理なく矯正するための姿勢の矯正具を提供しようとする物である【解決手段】該主体と握持部からなり、該主体はベルト状、又は紐状、又はロープ状に形成し、該主体の両端部には手で握り、任意の筋肉に働く初動負荷を生じさせて、前記筋肉に等張性伸縮又は等尺性伸縮をうながすための、握持部を該主体の前記両端部にそれぞれ設けたことである。【選択図】      図１
2006271946.tif 000002
【特許請求の範囲】
【請求項１】
該主体と握持部からなり、該主体はベルト状、又は紐状、又はロープ状に形成し、該主体の両端部には手で握り、任意の筋肉に働く初動負荷を生じさせて、前記筋肉に等張性伸縮又は等尺性伸縮をうながすための、握持部を該主体の前記両端部にそれぞれ設けたことを特徴とする姿勢の矯正具。
【発明の詳細な説明】
【技術分野】
【０００１】  本発明は、高齢者又は背中の曲がった状態にある人の背面筋を活性化して無理なく背筋を伸ばし、健康の維持に供するための、姿勢の矯正具に関する物である。
【背景技術】
【０００２】  我が国は高齢化社会に向けて移行しつつあり、農作業その他、中腰の作業等の労働や、長時間無理な姿勢手仕事をすることによる、背中や腰の曲がった老人や若者が多くなり、健康を著しく害する元と言われている。【０００３】  これ等の症状を改善、又は回復させるために医療を始め、指圧やカイロプラクティックその他、民間療法をを試みても背中や腰の曲がりを改善する方法はなく、コルセット等で背や腰の曲がりを支えるのみであった。
【発明の開示】
【発明が解決しようとする課題】
【０００４】  本発明が解決しようとする課題は、過酷なトレーニングや体力の消耗を伴う苦痛が無く、老人から若者に到るまで、緩やかな運動によって衰退した筋肉の力を回復させ、背や腰の曲がりを改善し、健康を害する姿勢を無理なく矯正する姿勢の矯正具を提供しようとするものである。
【課題を解決するための手段】
【０００５】  本発明によれば、該主体と握持部からなり、該主体はベルト状、又は紐状、又はロープ状に形成し、該主体の両端部には手で握り、任意の筋肉に働く初動負荷を生じさせて、前記筋肉に等張性伸縮又は等尺性伸縮をうながすための、握持部を該主体の前記両端部にそれぞれ設けたことである。
【発明の効果】
【０００６】  本発明に於いては、筋肉に掛かる初動負荷を利用して筋肉の等張性伸縮或いは等尺性伸縮を活用し筋肉内部に生ずる内圧によって筋肉を鍛え活性化する構造であるため、はエキスパンダー等の如くバネやゴムの伸縮力を利用して行う過酷なトレーニングや体力の消耗を伴う苦痛がない。
老人や若者等使用する人の筋肉や身体に無理を掛けることなく、使用する人の筋力に応じた訓練が可能であるため、無理の掛からない力で筋肉の再生が図れる。
更に、背や腰の部分の筋肉が再生される結果、無理な姿勢で長時間作業をして生じた筋肉の歪みが是正されて、背中や腰が自然に伸び、健康を維持するのに必要な姿勢を回復する姿勢の矯正具を提供することができる。
【発明を実施するための最良の形態】
【０００７】  本発明を実施するための最良の形態を述べれば、腕や背その他の筋肉が等張性収縮、或いは等尺性収縮を生じさせるために、主体１の両端に連接部材３を介して握持部４を設けてあり、この主体１と握持部４との構成上の関係を述べれば、主体１の端部２を適宜位置で折り返して固着し、筒状１２を形成し、この筒状１２を介して連接部材３を挿通して握持部４を設けるとよく（図面に於いては主体１がベルト状に表現されているが、これは一例であって、例えば、ロープ状、又は紐状等）でも可能である。【０００８】  この時、主体１は腕力によって引っ張り力が加わった場合に於いても、破損することのない強度であることが望ましく、更に、主体１の端部２を適宜位置で折り返して固着する手段としては、逢着、又はリベット又はネジ又は面ファスナー接着等によって固着してもよく、腕力による引っ張り応力に絶えられることが望ましい。【０００９】  又、一方の握持部４から他の握持部４までの距離は、それぞれの握持部４、４を左右の手で握り、腕を広げた状態に於いて、左右の腕が若干曲がる程度の状態が概ね好ましく、使用する素材等によっては、この限りではないことは言うまでもない。
【実施例】
【００１０】  以下、本発明の実施例１について図面に基づいて説明すると、図１に於いては引っ張り応力の大きい素材を用いて、主体１を形成し（図１に於いては主体１をベルト状に表現されているが、これはほんの一例であって、例えば、ロープ状、又は紐状でもよく）、この主体１の両端に連接部材３を介して握持部４を設けてあり、主体１は若干の伸縮性を備えた素材であっても良い。
この主体１と握持部４との構成についてその関係を述べれば、主体１の端部２を適宜位置で折り返し、逢着又はリベット、又はネジ、又は接着、又は面ファスナーその他の方法を用いて固着し、主体１の端部に筒状１２を形成してある。【００１１】  更に、この筒状１２には連接部材３を挿通して握持部４を設けてあり、握持部４、４と連接部材３は主体１と同様に握持部４、４を左右の手で引っ張った場合に生ずる引っ張り力に耐えられる素材を用いることは言うまでもなく、更に握持部４を介して輪状に形成された連接部材３は、その弾性によって若干の伸縮性が生じても良く、握持部４と連接部材の変形により生ずる若干の伸縮性によって、主体１に引っ張り力を加えた場合、握持部４を握った手に伝わる衝撃を緩和するように形成することも可能である。【００１２】  又、一方の握持部４から他の握持部４までの距離は、それぞれの握持部４、４を左右の手で握り、腕を広げた状態に於いて、左右の腕が、若干曲がる程度の状態が概ね好ましく、腕や背その他の筋肉が等張性収縮、或いは等尺性収縮、又は、これ等の筋肉作用を生じさせることができれば、使用する素材等によっては、この限りではないことは言うまでもない。【００１３】  以上のような構成であるから、本実施例の姿勢の矯正ベルトを使用するには、左右の手で握持部４、４を握り、主体１を背中又は首、又は腰等、所定の位置に当てて両腕を屈伸させてストレッチ運動を定期的に繰り返せばよく、エキスパンダーのように無理矢理強い力を振り絞って引き伸ばす必要は全く無く、このため、特に老人や女性等、筋力の弱い者にも容易に使用できるため、本発明の姿勢の矯正ベルトを用いたストレッチ運動は、無理や疲労感が無く、このため、長期に渡って楽しく使用し続けることができる。【００１４】  これは左右の腕が伸びきる直前に於いて、主体１を引き伸ばそうとする力が働く時点で筋肉には初動負荷が生ずると共に、主体１の長さに阻害されて、腕を始め背や首、腰等の筋肉に若干の力が加わり、これらの筋肉には等張性収縮、又は等尺性収縮が生じ筋肉内部の圧力が高まり、この圧力によって筋肉は鍛えられ、次第に背面筋の他、手や首腰等の筋肉は活性化し無理なく、自然に背筋や腰が伸び、健康の維持に有効な姿勢が保てるようになる。【００１５】  次に本発明の実施例２（図２）について説明すると、主体１の略中央付近に少なくとの柔軟で若干のクッション性を備えた素材から成るカバー５設けたもので、このカバー５は例えば発泡ポリウレタン、又はスポンジ、又はキルト、又はタオル地、又はフェルトその他等、主体１が肌に直接当たった場合、肌を傷つける恐れのない素材を用いて、主体１を巻き込む如く形成するとよく、摩擦係数のあまり高くない素材であることが望ましい。
又、この場合主体１にカバー５を設けるに当たっては、主体１に直接逢着してもよく、又は面ファスナー、又はスナップ、又はボタン等を用いて着脱自在に取り付けることも可能で（図示していないが）カバー５が汚れた場合取り外して洗濯又は交換することができるようにすることも可能であることは言うまでもない。【００１６】  従って、本実施例に於いても実施例１と同様の作用と効果を得ることができ、且つ特に気温の高い夏場等、薄い衣類をまとっている場合、又は首等肌が露出している場合等のストレッチ運動の於いて肌を保護することもできる。【００１７】  本発明の実施例３（図３）について説明すると、主体１の適宜位置に微弱な力によって伸縮する素材から成る補助部材１０を設けても良く、この補助部材１０又は、補助部材１０付近の主体１を含む部分に実施例２のカバー部材９を用いることも可能である。
更に、この補助部材１０はストレッチ運動を行う場合に於いての初動負荷を緩和、又は抑制することのない伸縮力であることが望ましく、実施例１と同様の作用と効果を得ることができる。【００１８】  本発明の実施例４（図４、図５）を説明すると、主体１の適宜な位置に主体１の破損を防止するための開口部７を設け（図４）てもよく、更に、握持部４を握るため主体１側にに、手を挿入するための開口状の部分を形成するため、切り裂き６を設けてあり、更に、主体１の端部付近の略左右対称の位置に、握持部４を設けるための開口部８、８を設け、開口部８、８の間に握持部４を設けてある（図５）。
この時、握持部４は主体１に固定部材８Ｋを介して設けることも可能で、固定部材８Ｋは例えば、ビス又は釘等を介して設けてもよく、又、握持部４に軸（図示しない）を設けて主体１の端部２と握持部４を固着することも可能であることは言うまでもない。【００１９】  本発明の実施例５（図６）は主体１の適宜位置に開口部７を設け、この開口部７から主体１の端部に掛けて、握持部４を握るため主体１側にに、手を挿入するための開口状の部分を形成するため、切り裂き６を設けてあり、更に、主体１の端部付近の略左右対称の位置に、握持部４を設けるための開口部８、８を複数ヵ所設け、開口部８、８の間に握持部４（図示しない）を設けるように構成してある。
この時、握持部４は主体１に固定部材８Ｋ（図示しない）を介して設けることも可能で、その設け方に於いては、実施例４と同様であるが、本実施例に於いては握持部４を設けるに当たって、複数箇所に設けた開口部８、８に握持部４を固着して、を使用する位置を変更することによって、一端の握持部４から他の一端の握持部４までの距離を調節することが可能で、腕の長さに応じて適切な長さを選択することが可能となる他、他の実施例と同様の作用ならびに効果を得ることができる。【００２０】  本発明の実施例６（図７）に於いては、一本の主体１の端部適宜位置から折り返し、主体１に依って輪状１５を形成し、端部２を固着したもので、この時、端部２は逢着、又は接着、又は面ファスナー、又はビス、又はリベット等を介して（図示しないが）固着してもよく、他の実施例と同様の作用と効果を得ることができる。【００２１】  本発明の実施例６に於いては、連接部材３（図８）とカバー部材９（図９）からなるもので、カバー部材９の適宜位置、例えば、ほんの一例であるが一端Ｔ方向に近い位置に連接部材３を載置し、角部分を折って折り返しＹ、Ｙを形成し、更に一端Ｕ側の角を折り、折り返しＫを形成（図１０）してある。
更に、カバー部材９の一端Ｕ側が、連接部材３の側部付近から若干離れた位置に達するように折り（図１１）折り返し１１を形成し、更に一端Ｕ側が接続部材３の面上に到達するように折り込もと共に、一端Ｔ側を折り込んで一端Ｕ側の上に位置するように形成（図１２）し固着してあり、この固着手段としては逢着、又は接着その他の方法があり、この場合、握持部４を形成する過程で、必要に応じて局所、局所を適宜に固定しながら形成してもよい。【００２２】  従って、図１２を参考に説明すると、接続部材３の裏面に該当する部分に於いては、カバー部材９は単一層１３に形成されている反面、接続部材３の表面に該当する部分に於いては、カバー部材９は複数層１４に形成されることになり、この複数層に形成された側に手のひらを当てて握ることのできる握持部４が形成されるもので、握り心地が良くなるばかりでなく、表面が若干盛り上がって形成されるため、身体各所のツボが集中する手のひらへの押圧効果が期待される他、握持部４に於いては握持部４を握り力が加え等れると曲り、加えた力から開放されると、直線状に復元することによって若干の弾発力が生じ、手を離した状態に於いては常に握りやすい直線状が維持される他、他の実施例と同様の作用と効果を得ることができる。
【図面の簡単な説明】
【００２３】
【図１】  本発明の実施例１の姿勢の矯正具を示す斜視図である。
【図２】  本発明の実施例２の姿勢の矯正具を示す斜視図である。
【図３】  本発明の実施例３の姿勢の矯正具を示す斜視図である。
【図４】  本発明の実施例４の主体の一方の端部付近を示す斜視図である。
【図５】  本発明の実施例４の一方の握持部を示す斜視図である。
【図６】  本発明の実施例５の主体の一方の端部付近を示す斜視図である。
【図７】  本発明の実施例６一方の握持部を示す斜視図である。
【図８】  本発明の実施例７の部材を示す斜視図である。
【図９】  本発明の実施例７を形成する過程を示す斜視図である。
【図１０】  本発明の実施例７を形成する過程を示す斜視図である。
【図１１】  本発明の実施例７を形する過程を示す斜視図である。
【図１２】  本発明の実施例７を形成する過程を示す斜視図である。
【符号の説明】
【００２４】１  ベルト主体
２  ベルト端部
３  連接部材
４  握持部
５  カバー
６  切り裂き
７  開口部
８  開口部
８Ｋ  固着部材
９  カバー部材
１０  伸縮性部材
１２  筒状
Ｕ  一端
Ｔ  一端
Ｙ  折り返し
Ｋ  折り返し
１１  折り返し
１３  単一層
１４  複数層
１５  輪状
【図１】
2006271946.tif 000003
【図２】
2006271946.tif 000004
【図３】
2006271946.tif 000005
【図４】
2006271946.tif 000006
【図５】
2006271946.tif 000007
【図６】
2006271946.tif 000008
【図７】
2006271946.tif 000009
【図８】
2006271946.tif 000010
【図９】
2006271946.tif 000011
【図１０】
2006271946.tif 000012
【図１１】
2006271946.tif 000013
【図１２】
2006271946.tif 000014